(57)【特許請求の範囲】
【請求項１】
偏平状記録媒体を外から見える状態で収納したホルダーを表紙と本文との間に有し、表紙に設けた窓が中の偏平状記録媒体の少なくとも一部分に重なるように構成した本であって、用紙に形成された窓孔を外側から覆うようにして用紙全体に透明フィルムがラミネートされた積層シートが表紙に用いられており、前記窓孔は、つなぎ部分を残した切込線で囲まれた用紙の一部分を積層シートから剥がして形成したものであることを特徴とする本。
【請求項２】
請求項１に記載の本を製造する方法であって、窓孔に対応する形状でかつ途中につなぎ部分を残した切込線を打抜きにより用紙に形成するステップと、その用紙における切込線で囲まれた部分を除いて全体に接着剤を塗布し、透明フィルムをラミネートして積層シートを作製するステップと、用紙における切込線で囲まれた部分を剥がして窓孔を形成するステップとにより表紙を形成し、この表紙を使用して透明フィルムで覆われた窓孔から中の偏平状記録媒体が見えるように製本することを特徴とする本の製造方法。
【請求項３】
偏平状記録媒体を少なくともその一部分が窓から見える状態で収納したホルダーを表紙に使用した本であって、用紙に形成された窓孔を外側から覆うようにして用紙全体に透明フィルムがラミネートされた積層シートがホルダーを構成しており、前記窓孔は、つなぎ部分を残した切込線で囲まれた用紙の一部分を積層シートから剥がして形成したものであることを特徴とする本。
【請求項４】
請求項３に記載の本を製造する方法であって、窓孔に対応する形状でかつ途中につなぎ部分を残した切込線を打抜きにより用紙に形成するステップと、その用紙における切込線で囲まれた部分を除いて全体に接着剤を塗布し、透明フィルムをラミネートして積層シートを作製するステップと、用紙における切込線で囲まれた部分を剥がして窓孔を形成するステップとによりホルダーを形成し、このホルダーを表紙に使用して透明フィルムで覆われた窓孔から中の偏平状記録媒体が見えるように製本することを特徴とする本の製造方法。
【発明の詳細な説明】
【０００１】
【発明の属する技術分野】
本発明は、ＣＤ（コンパクトディスク）、ＭＤ（ミニディスク）、ＦＤ（フロッピーディスク）、ＥＢ（電子本）、ＣＤ−ＲＯＭ、ＣＤ−ＣＡ、ＣＤ−１、ＣＤ−Ｇ、ＤＶＤ、ＤＶＤ−ＲＯＭ、ＤＶＤ−ＲＡＭ、ＤＶＤ−オーディオ、ビデオＣＤ、フォトＣＤ等の偏平状記録媒体を添付したパソコン雑誌、ゲーム雑誌、絵本、データブック、音楽の本、映像の本等の本に関するものである。
【０００２】
【従来の技術】
従来、この種の偏平状記録媒体を雑誌等の本の付録又は広告として添付する場合、これらを収納した厚紙製パッケージやビニール袋などのホルダーを本のページ間に挟み込んで販売形態とすることが一般的に行われてきた。しかしながら、この形態では流通段階においてＣＤ等を収納したホルダーが簡単に外れてしまうので品質保証の点で問題がある上に、店頭での販売時には盗難にあい易い等の問題が多く、最近ではこのような仕様の本は採用されなくなっており、替わりにこのホルダー自体を巻頭や巻末或いはページ間に一体的に綴じ込んで販売形態とすることが行われている。また、簡便なものでは袋入りのＣＤ等をそのままページに貼り付けた本も利用されている。
【０００３】
【発明が解決しようとする課題】
上記のようにＣＤ等を収納したホルダーを一体的に綴じ込んだ本や袋入りのＣＤ等をページに貼り付けた本は、流通時にホルダーが落下したり店頭にて盗難にあうことがないという利点はあるが、中のＣＤ等が外から見えないので、折角ＣＤ等を添付しているのに店頭においてのアピール効果に乏しいと言う欠点がある。そこで、ＣＤ等を収納したホルダーを巻頭に綴じ込んで表紙に窓を開ければよいとも考えられるが、窓の周辺が段差となり、流通時に引っ掛かりを起こして表紙に破れを生じるので、現実にはこのような窓を設けることはできない。
【０００４】
本発明は、上記のような背景に鑑みてなされたもので、本の表紙から中の偏平状記録媒体が覗いて見え、しかも流通段階で表紙が損傷しない偏平状記録媒体付きの本を提供し、併せてその製造方法を提供することにある。
【０００５】
【課題を解決するための手段】
上記目的を達成するため、本発明に係る第１のタイプの本は、偏平状記録媒体を外から見える状態で収納したホルダーを表紙と本文との間に有し、表紙に設けた窓が中の偏平状記録媒体の少なくとも一部分に重なるように構成した本であって、用紙に形成された窓孔を外側から覆うようにして用紙全体に透明フィルムがラミネートされた積層シートが表紙に用いられており、前記窓孔は、つなぎ部分を残した切込線で囲まれた用紙の一部分を積層シートから剥がして形成したものであることを特徴とする。そして、この第１のタイプの本の製造方法は、窓孔に対応する形状でかつ途中につなぎ部分を残した切込線を打抜きにより用紙に形成するステップと、その用紙における切込線で囲まれた部分を除いて全体に接着剤を塗布し、透明フィルムをラミネートして積層シートを作製するステップと、用紙における切込線で囲まれた部分を剥がして窓孔を形成するステップとにより表紙を形成し、この表紙を使用して透明フィルムで覆われた窓孔から中の偏平状記録媒体が見えるように製本することを特徴とする。
【０００６】
また、同様の目的を達成するため、本発明に係る第２のタイプの本は、偏平状記録媒体を少なくともその一部分が窓から見える状態で収納したホルダーを表紙に使用した本であって、用紙に形成された窓孔を外側から覆うようにして用紙全体に透明フィルムがラミネートされた積層シートがホルダーを構成しており、前記窓孔は、つなぎ部分を残した切込線で囲まれた用紙の一部分を積層シートから剥がして形成したものであることを特徴とする。そして、この第２のタイプの本の製造方法は、窓孔に対応する形状でかつ途中につなぎ部分を残した切込線を打抜きにより用紙に形成するステップと、その用紙における切込線で囲まれた部分を除いて全体に接着剤を塗布し、透明フィルムをラミネートして積層シートを作製するステップと、用紙における切込線で囲まれた部分を剥がして窓孔を形成するステップとによりホルダーを形成し、このホルダーを表紙に使用して透明フィルムで覆われた窓孔から中の偏平状記録媒体が見えるように製本することを特徴とする。
【０００７】
【発明の実施の形態】
次に、本発明の実施形態について例を挙げて図面を参照しながら説明する。
【０００８】
図１は本発明に係る第１のタイプの本の一例を示すもので、この本１０はＣＤ１を収納した袋２を本文１１の最初のページに貼り付けてあり、閉じた状態で中のＣＤ１が見えるように表紙１２に円形状の窓１３が設けられた形態をしている。そして、用紙１４に形成された窓孔１４ａを覆って用紙全体に透明フィルム１５がラミネートされた積層シートを用いて表紙１２が形成されている。なお、袋２は表裏ともに透明フィルム、或いは丸いＣＤが見えるような窓付の紙袋、裏面側に樹脂製不織布を使用したものがある。また、図２に示すように斜線の部分にシリコンラバー３をシルクスクリーン印刷すれば、ＣＤを載せて粘着力によりくっ付いた状態で収納できる。
【０００９】
先に説明した表紙は次のようにして作製される。まず、図３（ａ）に示すように、用紙１４に対して打抜きにより所定位置に円形状の切込線ａを入れた後、切込線ａで囲まれた部分を除いて全体に接着剤を塗布し、透明フィルム１５をラミネートして積層シート１６を作製する。用紙サイズは表紙の２倍である。ここで、切込線ａには途中に適宜のつなぎ部分を残しておく。次いで、図３（ｂ）に示すように、用紙１５における切込線ａで囲まれた部分をつなぎ部分で破断しながら剥して窓孔１４ａを形成する。これにより窓孔１４ａは外側が透明フィルム１５で覆われた状態になる。そして、中心線ｂで２つ折りして表紙にする。以上は中綴本の場合であって、無線綴本、平綴本、あじろ綴本、かがり綴本の場合は、図４に示すように中心から等距離にある２本の線ｃで折り曲げて本の背を作る。用紙１４にラミネートする透明フィルム１５としては、塩ビフィルム、延伸ポリプロピレンフィルム、スチロールフィルム、ポリエチレンテレフタレートフィルム等を使用することができる。
【００１０】
図５は本発明に係る第１のタイプの本の別の例を示すもので、この本１０’はＣＤ１を収納した袋２を表紙１２と本文１１の最初のページの間、すなわち巻頭に綴じ込んであり、閉じた状態で中のＣＤ１が見えるように円形状の窓１３が設けられている。窓１３はＣＤ１に合わせて綴代に近い位置に形成されている。
【００１１】
図６は本発明に係る第２のタイプの本を示すもので、この本２０はＣＤ１が窓２１から見える状態で収納したホルダーからなる表紙２２とその表紙２２でくるまれた本文２３とから構成されている。そして、表紙２２であるホルダーは、用紙２４に形成された窓孔２４ａを覆って用紙全体に透明フィルム２５がラミネートされた積層シートを用いて形成されている。また、表紙２２の見返しにはＣＤ取出し用の開閉領域２６が設けられている。
【００１２】
表紙２２であるホルダーは次のようにして作製される。まず、図７（ａ）に示すように、用紙２４に対して打抜きにより所定位置に前記と同様な切込線ａを入れた後、切込線ａで囲まれた部分を除いて全体に接着剤を塗布し、透明フィルム２５をラミネートして積層シート２７を作製する。用紙サイズは表紙の３倍である。次に、図７（ｂ）に示すように、用紙２４における切込線ａで囲まれた部分を剥して窓孔２４ａを形成する。これにより窓孔２４ａは外側が透明フィルム２５で覆われた状態になる。次いで、図８（ａ）に示すように、打抜きにより所定位置に開閉領域２６を区画する。具体的には、例えば押罫ｃとその両端をつなぐ半円状のミシン目線ｄ、さらには開閉時の摘み部分を設けるためにミシン目線ｄの一部から突き出る形状で半円状の切込線ｅを形成する。続いて、積層シート２７を３分する線ｆで折り曲げ、袋入りのＣＤを挟持した状態で貼り合わせる。このようにして袋入りのＣＤを積層シート２７で保持した後、図８（ｂ）に示すようにさらに２つ折りして表紙にする。
【００１３】
なお、以上に挙げた例では表紙の窓がＣＤの形状に合わせて円形状としてあるが、本発明の本の表紙に設ける窓はこのような円形状に限るものではなく、デザインに応じて適宜のものを採用することができる。例えば、図１に例示した本１０に対応させて言えば、図９のような半円状の窓１３や図１０のような扇状の窓１３にしてもよい。
【００１４】
また、本発明の本は、本のサイズにも左右されるが、袋入りのＣＤを上下に並べて２枚収納したものであってもよい。この場合、それぞれのＣＤが見えるように窓は２つ設けるようにするとよい。例えば、図９及び図１０に例示した本１０に対応させて言えば図１１及び図１２に示すようであり、図６に例示した本２０に対応させて言えば図１３に示すようである。
【００１５】
また、本発明の本は、ＣＤのみならず、ＭＤ、ＦＤ、ＥＢ、ＣＤ−ＲＯＭ、ＣＤ−ＣＡ、ＣＤ−１、ＣＤ−Ｇ、ＤＶＤ、ＤＶＤ−ＲＯＭ、ＤＶＤ−ＲＡＭ、ＤＶＤ−オーディオ、ビデオＣＤ、フォトＣＤ等の偏平状記録媒体を収納する場合についても適用できるものである。
【００１６】
【発明の効果】
以上説明したように、本発明に係る本は、表紙に設けた窓から中のＣＤ等が覗いて見えるので、店頭において読者がすぐに偏平状記録媒体入りの本であることが分かることから、購買意欲につながり、販売促進上から効果的である。しかも、窓孔を覆って透明フィルムが全体にラミネートされているので、デザイン面からもスマートであり、機能的には窓による引っ掛かりが起こらず、流通時における表紙の損傷の心配がない。
【図面の簡単な説明】
【図１】本発明に係る第１のタイプの本の一例を示すもので、図１（ａ）は閉じた状態での正面図、図１（ｂ）は表紙を開いた状態での正面図である。
【図２】図１の変形例をその表紙を開いた状態で示す正面図である。
【図３】図１に示す本の表紙の作製手順を示す説明図である。
【図４】図３の変形例をその表紙を開いた状態で示す正面図である。
【図５】本発明に係る第１のタイプの本の別の例を示すもので、図５（ａ）は閉じた状態での正面図、図５（ｂ）は表紙を開いた状態での正面図である。
【図６】本発明に係る第２のタイプの本の一例を示すもので、図６（ａ）は閉じた状態での正面図、図６（ｂ）は表紙を開いた状態での正面図である。
【図７】図６に示す本の表紙の作製手順を示す前半の説明図である。
【図８】図６に示す本の表紙の作製手順を示す後半の説明図である。
【図９】図１に示す本の変形例を示す正面図である。
【図１０】図１に示す本のさらに別の変形例を示す正面図である。
【図１１】図９に示すタイプの本でＣＤを２枚収納させた場合を示す正面図である。
【図１２】図１０に示すタイプの本でＣＤを２枚収納させた場合を示す正面図である。
【図１３】図６に示すタイプの本でＣＤを２枚収納させた場合を示す正面図である。
【符号の説明】
１  ＣＤ
２  袋
３  シリコンラバー
１０，１０’  本
１１  本文
１２  表紙
１３  窓
１４  用紙
１４ａ  窓孔
１５  透明フィルム
１６  積層シート
２０  本
２１  窓
２２  表紙
２３  本文
２４  用紙
２５  透明フィルム
２６  開閉領域
２７  積層シート
【図１】
0003942119.tif 000002
【図２】
0003942119.tif 000003
【図３】
0003942119.tif 000004
【図４】
0003942119.tif 000005
【図５】
0003942119.tif 000006
【図６】
0003942119.tif 000007
【図７】
0003942119.tif 000008
【図８】
0003942119.tif 000009
【図９】
0003942119.tif 000010
【図１０】
0003942119.tif 000011
【図１１】
0003942119.tif 000012
【図１２】
0003942119.tif 000013
【図１３】
0003942119.tif 000014